(57)【要約】【課題】スイッチノブ及びスイッチケースのテーパを小さくすることができ、スイッチケース内でのスイッチノブのブレが小さく、スイッチノブの摺動性、操作性が良好なプッシュ式スイッチのスイッチ構造を提供する。【解決手段】  上記目的を達成するため、本発明は、樹脂製スイッチケース３６の内周部に樹脂製スイッチノブ３７のスイッチノブ軸部４２を摺動自在に嵌合したプッシュ式スイッチのスイッチ構造において、スイッチノブ３７のスイッチノブ軸部４２の基端に第１ガイドレール溝４４を設け、スイッチノブ軸部４２の先端にスイッチノブ軸部４２の外径よりも外側方に突出させないように第２ガイドレール溝４６を設け、スイッチケース３６の内周に第１ガイドレール溝４４及び第２ガイドレール溝４６が嵌合する第３ガイドレール及び第４ガイドレールを設けたことを特徴とする。【選択図】図２
2008166000.tif 000002
【特許請求の範囲】
【請求項１】
樹脂製スイッチケースの内周部に樹脂製スイッチノブの軸部を摺動自在に嵌合したプッシュ式スイッチのスイッチ構造において、
スイッチノブの軸部の基端に第１ガイドレールまたは第１ガイドレール溝を設け、
前記軸部の先端に前記軸部の外径よりも外側方に突出させないように第２ガイドレールまたは第２ガイドレール溝を設け、
スイッチケースの内周に前記ガイドレールまたは前記ガイドレール溝が嵌合するガイドレール溝またはガイドレールを設けたことを特徴とするプッシュ式スイッチのスイッチ構造。
【請求項２】
前記スイッチケースの内周部に第１ガイドレールまたは第１ガイドレール溝が嵌合する第３ガイドレール溝または第３ガイドレールを設けると共に、第２ガイドレールまたは第２ガイドレール溝が嵌合する第４ガイドレール溝または第４ガイドレールを設けたことを特徴とする請求項１に記載のプッシュ式スイッチのスイッチ構造。
【請求項３】
前記スイッチノブの軸部の先端に小径部を設け、前記小径部に前記第２ガイドレールまたは第２ガイドレール溝を設けたことを特徴とする請求項１または２に記載のプッシュ式スイッチのスイッチ構造。
【発明の詳細な説明】
【技術分野】
【０００１】
本発明は、例えば車載オーディオ装置の操作部等を構成するプッシュ式スイッチのスイッチ構造に関する。
【背景技術】
【０００２】
従来、樹脂製スイッチケースの内周部に樹脂製スイッチノブの軸部を摺動自在に嵌合したプッシュ式スイッチのスイッチ構造において、軸方向に延在する凸状のガイドレールが外周に形成されたスイッチノブと、このガイドレールに対応した凹状のガイドレール溝が内周に形成されたスイッチケースとを有し、ガイドレール溝にガイドレールが嵌合された状態でスイッチノブがスイッチケースに嵌め込まれ、このガイドレールがガイドレール溝に案内されることにより、スイッチノブが軸方向に摺動可能に構成されたプッシュ式スイッチのスイッチ構造が知られている。なお、ガイドレール溝、ガイドレールを形成する部位は任意であり、例えば、ガイドレール溝がスイッチノブの外周部に形成され、ガイドレールがスイッチケースの内周部に形成されたプッシュ式スイッチのスイッチ構造も知られている。
この種のプッシュ式スイッチのスイッチ構造では、ガイドレールが、スイッチノブの外周部において、スイッチノブの基端から先端にかけて軸方向に連続的に延在し、このガイドレールに対応したガイドレール溝が、ガイドレールと略同一の長さでスイッチケースの内周に形成されている（例えば、特許文献１参照）。
【特許文献１】特開２００３−１３２７６０号公報
【発明の開示】
【発明が解決しようとする課題】
【０００３】
ところで、樹脂製スイッチノブ及び樹脂製スイッチケースは、一般に射出成形により成形されており、上述のようにスイッチノブの外周部にガイドレールを軸方向に連続的に形成する場合には、該ガイドレールに金型抜き用の大きなテーパを設けなければならない。この大きなテーパがスイッチノブの外周部に設けられると、スイッチノブを軸方向に摺動させる場合に、スイッチノブの位置によって、スイッチノブとスイッチケースとの隙間が大きくなってしまう。スイッチノブとスイッチケースとの隙間が大きい場合、スイッチノブがスイッチケース内で安定せずにブレが大きくなるという問題があった。さらに、ブレが大きいため、スイッチノブの摺動性がよくないという問題、特に、スイッチノブの基端に設けられたスイッチ押圧部のうち、スイッチ押圧部の中心から外れた位置を押圧した場合に、スイッチノブが軸方向にスムーズに変位せず操作性が悪いという問題、があった。
【０００４】
本発明は、上述した事情に鑑みてなされたものであり、スイッチノブをスイッチケースに嵌合した時にスイッチノブのブレが小さく、スイッチノブの摺動性及び操作性が良好なプッシュ式スイッチのスイッチ構造を提供することを目的とする。
【課題を解決するための手段】
【０００５】
上記目的を達成するため、本発明は、樹脂製スイッチケースの内周部に樹脂製スイッチノブの軸部を摺動自在に嵌合したプッシュ式スイッチのスイッチ構造において、スイッチノブの軸部の基端に第１ガイドレールまたは第１ガイドレール溝を設け、前記軸部の先端に前記軸部の外径よりも外側方に突出させないように第２ガイドレールまたは第２ガイドレール溝を設け、スイッチケースの内周に前記ガイドレールまたは前記ガイドレール溝が嵌合するガイドレール溝またはガイドレールを設けたことを特徴とする。
本発明では、スイッチノブの軸部の基端、および該軸部の先端に、それぞれガイドレール、またはガイドレール溝を分けて設けたため、スイッチノブ成形用金型でスイッチノブの形状を成形したときに、金型の溝部とガイドレールとの接触面積が小さくなり、金型からスイッチノブを取り外す際の摩擦力も減少し、より小さな力で金型からスイッチノブを取り外すことが可能となる。このため、スイッチノブのテーパを大きく設計する必要がない。同様の理由で、スイッチケースのテーパも大きく設計する必要がない。このため、スイッチノブ及びスイッチケースのテーパを小さくすることができ、スイッチノブをスイッチケースに嵌合した時のスイッチノブのブレが小さく、スイッチノブの摺動性及び操作性が良好になる。
【０００６】
上記発明において、前記スイッチケースの内周部に第１ガイドレールまたは第１ガイドレール溝が嵌合する第３ガイドレール溝または第３ガイドレールを設けると共に、第２ガイドレールまたは第２ガイドレール溝が嵌合する第４ガイドレール溝または第４ガイドレールを設けてもよい。
また、前記スイッチノブの軸部の先端に小径部を設け、前記小径部に前記第２ガイドレールまたは第２ガイドレール溝を設けてもよい。
【発明の効果】
【０００７】
本発明では、スイッチノブの軸部の基端、および該軸部の先端に、それぞれガイドレール、またはガイドレール溝を分けて設けたため、スイッチノブ成形用金型でスイッチノブの形状を成形したときに、金型の溝部とガイドレールとの接触面積が小さくなり、金型からスイッチノブを取り外す際の摩擦力も減少し、より小さな力で金型からスイッチノブを取り外すことが可能となる。このため、スイッチノブのテーパを大きく設計する必要がない。同様に、スイッチケースのテーパも大きく設計する必要がない。このため、スイッチノブ及びスイッチケースのテーパを小さくすることができ、スイッチノブをスイッチケースに嵌合した時のスイッチノブのブレが小さく、スイッチノブの摺動性及び操作性が良好になる。
【発明を実施するための最良の形態】
【０００８】
以下、図面を参照して本発明の実施の形態について説明する。
図１は、本実施形態に係る車載オーディオ装置１の正面図である。車載オーディオ装置１は、車両に搭載され、ユーザの操作に応じて、車両に搭載されたスピーカ（不図示）から音声を出力するものであり、略箱形の本体に、ＣＤ（コンパクトディスク）の記録媒体の再生機能及びチューナー機能を実現する各種部品を内蔵している。
この図に示すように、車載オーディオ装置１の正面略中央に、液晶ディスプレイ及びＥＬディスプレイ等によって構成され、ＣＤの動作状態、再生トラック番号、曲名、受信ラジオチャンネル等の各種表示を行う表示部２が配置されている。表示部２の上方には、ＣＤ挿入口３が設けられており、このＣＤ挿入口３は、隣に設けられたＣＤイジェクトボタン４の操作によって開閉自在に構成されている。
【０００９】
表示部２の右側には、操作キー群５が設けられている。この操作キー群５が有する複数の操作キーのそれぞれには、プリセット機能が割り当てられており、ユーザは、これらの操作キーを操作することによりそれぞれのプリセット機能を実現する。
表示部２の下方には、ＣＤ／ラジオ操作キー群６が設けられており、このＣＤ／ラジオ操作キー群６の操作キーを操作することにより、ＣＤの再生、停止、一時停止、早送り、巻き戻し、及び、ラジオの選局等のＣＤ及びラジオに対する各種操作を行う。
表示部２の左斜め下には、表示部２に表示されている内容の切り替えを行うディスプレイ切替ボタン７が設けられており、このディスプレイ切替ボタン７の左には、表示部２に画面の明暗、ＣＤの音質等の各種調整を行うアジャスト画面を表示させるためのアジャストスイッチ８が設けられており、このアジャストスイッチ８の上方には、車載オーディオ装置１の動作モードを切り替えるための動作モードスイッチ９が設けられている。
【００１０】
表示部２の左側には、ボリュームスイッチ３０が設けられている。ボリュームスイッチ３０は、ボリュームスイッチ３０の中央に形成され、押圧操作によってスピーカから出力されている音声をミュート状態にしたり、ミュート状態の解除を行ったりするミュートスイッチ３１と、このミュートスイッチ３１の外側に形成され、回転操作によりスピーカから出力されている音声の音量調整を行う音量調整スイッチ３２と、を有している。
ミュートスイッチ３１は、本実施の形態に係るプッシュ式スイッチのスイッチ構造を構成している。ミュートスイッチ３１の正面部にはスイッチ押圧部３３が形成されている。このスイッチ押圧部３３には、詳細は後述するが、光を透過可能な透明な部材で「ＭＵＴＥ」という文字が記されたＭＵＴＥ表示部３４が形成されており、音声がミュート状態のときは、スイッチ押圧部３３の後部に存在するＬＥＤ光源３５（図２参照）が点灯し、このＬＥＤ光源３５が発する光を透過する構成となっている。
【００１１】
図２は、ボリュームスイッチ３０の断面図であり、ミュートスイッチ３１のスイッチ押圧部３３が押圧されていない状態を示している。図３は、ボリュームスイッチ３０の断面図であり、ミュートスイッチ３１のスイッチ押圧部３３が押圧されている状態を示している。図４は、ミュートスイッチ３１の斜視図である。
図２、図３及び図４に示すように、ミュートスイッチ３１は、スイッチケース３６と、このスイッチケース３６に嵌め込まれたスイッチノブ３７を有している。
スイッチケース３６は、基端及び先端が開口した筒状のスイッチケース胴部３８を有しており、このスイッチケース胴部３８の基端側に、スイッチケース胴部３８の径より大きな径を有するスイッチケース基端部３９が形成されている。スイッチケース基端部３９の内周には、凸状の第３ガイドレール４０（図４参照）が軸方向に延在する状態で複数（本実施形態では、図示しないものも含め４つ）形成されている。また、スイッチケース３６の先端側の内周には、凸状の第４ガイドレール４１（図４参照）が軸方向に延在する状態で複数（本実施形態では、図示しないものも含め４つ）形成されている。
【００１２】
スイッチノブ３７は、基端が開口した筒状のスイッチノブ軸部４２を有しており、このスイッチノブ軸部４２の基端側に、スイッチノブ軸部４２の径より大きな径を有するスイッチ押圧部材ホルダ４３が形成されており、このスイッチ押圧部材ホルダ４３には、スイッチ押圧部３３が嵌め込まれて取り付けられている。また、スイッチノブ軸部４２の基端側の外周には、スイッチ押圧部材ホルダ４３に接した状態で、凹状の第１ガイドレール溝４４（図４参照）が軸方向に延在する状態で複数（本実施形態では、図示しないものも含め４つ）設けられている。また、スイッチノブ軸部４２の先端部には、スイッチノブ軸部４２の径より小さな径を有する小径部４５が形成されており、この小径部４５の外周に、凹状の第２ガイドレール溝４６（図４参照）が、スイッチノブ軸部４２の外径より外側に突出しない状態で軸方向に複数（本実施形態では、図示しないものも含め４つ）設けられている。
また、スイッチノブ軸部４２の先端において、スイッチノブ軸部４２から突出した状態でタクトスイッチ押部４７が形成されている。このこのタクトスイッチ押部４７は、スイッチ押圧部３３が押圧されてスイッチノブ３７が先端方向に変位したときに、後述するプリント基板４８に設けられているタクトスイッチ４９を作動させるための部材である。
また、スイッチノブ３７の先端側の底面５０には、後述するタクトスイッチ４９及びＬＥＤ光源３５を貫通させるための貫通孔５１が形成されている。
【００１３】
スイッチノブ３７がスイッチケース３６に嵌め込まれる際、第１ガイドレール溝４４が第３ガイドレール４０に嵌合し、第２ガイドレール溝４６が第４ガイドレール４１に嵌合した状態で嵌め込まれる。これにより、スイッチノブ３７は、第１ガイドレール溝４４及び第２ガイドレール溝４６が、第３ガイドレール４０及び第４ガイドレール４１に案内されて、軸方向にのみ摺動するよう規制されている。
また、スイッチノブ３７をスイッチケース３６内で先端方向に変位させた場合、スイッチノブ３７のスイッチ押圧部材ホルダ４３が、スイッチケース３６のスイッチケース基端部３９に接触し、係止する位置まで変位する構成となっている。
【００１４】
スイッチケース３６は、内周にスイッチノブ３７が嵌め込まれた状態のまま、タクトスイッチ４９、ＬＥＤ光源３５及び各種回路等が実装されたプリント基板４８に取り付けられている。その際、突出した状態でプリント基板４８に実装されているＬＥＤ光源３５は、スイッチケース胴部３８の先端に設けられた開口部、及び、スイッチノブ３７の貫通孔５１を通って、スイッチノブ３７の内部へ延出する。
また、プリント基板４８のタクトスイッチ４９には、スイッチノブ３７のタクトスイッチ押部４７が係止しており、図２に示すように、スイッチ押圧部３３が押圧されていないとき、つまり、スイッチノブ３７を先端方向へ変位させるような力が加わっていないときは、タクトスイッチ４９が、スイッチノブ３７を基端側へ付勢して支持している。また、図３に示すように、スイッチ押圧部３３が押圧され、スイッチノブ３７が、先端方向へ変位した時は、タクトスイッチ押部４７がタクトスイッチ４９を押圧し、これを作動させることにより、図示せぬミュート回路を作動させてミュートのオン／オフを行う。
ＬＥＤ光源３５は、ミュートがオンのときに点灯し、ミュートがオフのときに消灯するように構成されている。
【００１５】
音量調整スイッチ３２は、回転操作を行うための回転ノブ５２と、この回転ノブ５２が取り付けられた回転ノブ受け５３と、この回転ノブ受け５３を回動自在に指示する基板接続部５４とを有しており、この基板接続部５４がプリント基板４８に取り付けられている。
回転ノブ５２には、回転ノブ５２の回転の変位量を検出し、この変位量を信号として出力するロータリエンコーダ（不図示）が接続されている。このロータリエンコーダは、プリント基板４８上に導通されて、プリント基板４８上の制御回路（不図示）と接続されており、この制御回路に各種制御信号を出力することができる。さらに、制御回路は、電子ボリューム（不図示）と接続されており、この電子ボリュームに各種制御信号を出力し、電子ボリュームが出力する音声信号を制御することができる。
【００１６】
次いで、ボリュームスイッチ３０の動作について、図１、図２及び図３を参照して説明する。ここで、説明の簡易化のため、ユーザは、車載オーディオ装置１にＣＤを挿入し、このＣＤに記録されている音楽を聴いているものとする。
ユーザは、例えば、会話を行うとき等、一時的に音楽の音量をミュート状態にしたいとき、ミュートスイッチ３１のスイッチ押圧部３３を押圧する。スイッチ押圧部３３が押圧されると、スイッチノブ３７は、図２に示す押圧前の状態から図３に示す押圧後の状態へと、先端方向へ向かって変位すると共に、タクトスイッチ押部４７が、タクトスイッチ４９を押圧する。
【００１７】
タクトスイッチ４９が作動すると、ミュート回路が作動し、スピーカから流れる音楽の音量をミュート状態にすると共に、制御回路の制御の下、ＬＥＤ光源３５が点灯する。ＬＥＤ光源３５から発せられた光は、スイッチノブ軸部４２の内周を通過後、透明な部材で構成されているＭＵＴＥ表示部３４を通過する。このため、ＭＵＴＥ表示部３４が光った状態となる。これにより、ユーザは、ＭＵＴＥ表示部３４が光っているか否かを確認することで、現在ミュート状態にあるか否かを簡単に認識することができる。
一方、ミュート状態を解除したいとき、ユーザは、再びミュートスイッチ３１のスイッチ押圧部３３を押圧し、タクトスイッチ４９を作動させる。すると、ミュート回路が作動し、音楽の音量のミュート状態を解除すると共に、ＬＥＤ光源３５が消灯する。
【００１８】
また、音楽の音量を調整したいとき、ユーザは、音量調整スイッチ３２の回転ノブ５２を回転させることにより音量を調整する。具体的には、音量を大きくしたい時は、回転ノブ５２を右回転させることにより段階的に音量を大きくし、逆に、音量を小さくしたい時は、回転ノブ５２を左回転させることにより段階的に音量を小さくする。
ユーザによって回転ノブ５２が回転操作されると、この回転ノブ５２に接続されているロータリエンコーダは、その回転方向及び回転角度を検知し、これらに応じたパルスを制御回路へ出力する。制御回路は、受信したパルスに基づいて制御信号を電子ボリュームに出力して、電子ボリュームが出力する音声信号を制御することにより、スピーカから出力される音楽の音量を調整する。
【００１９】
このように、本実施の形態によれば、スイッチノブ３７の軸部の基端、および該軸部の先端に、それぞれガイドレール溝４４，４７を分けて設けたため、スイッチノブ３７に形成された第１ガイドレール溝４４及び第２ガイドレール溝４６の長さが短くなり、必要最小限の長さですむ。したがって、スイッチノブ成形用金型でスイッチノブ３７の形状を成形したときに、金型の溝部と、第１ガイドレール溝４４及び第２ガイドレール溝４６との接触面積が小さくなり、金型からスイッチノブ３７を取り外す際の摩擦力も減少し、より小さな力で金型からスイッチノブ３７を取り外すことが可能となる。このため、スイッチノブ３７のテーパを大きく設計する必要がない。スイッチノブ３７の軸部の先端に設けたガイドレール溝４７は、該軸部の外側方に突出しないため、該軸部の基端のガイドレール溝４４を形成するための金型を、軸方向に抜き取る場合に邪魔にならず、金型構成を簡単化できる。同様に、第３ガイドレール４０及び第４ガイドレール４１の長さも必要最小限の長さですむため、スイッチケース３６のテーパも大きく設計する必要がない。このため、スイッチノブ３７及びスイッチケース３６のテーパを小さくすることができる。
【００２０】
また、スイッチノブ３７及びスイッチケース３６のテーパが小さいため、図２、図３に示すように、スイッチノブ３７の変位にかかわらず、スイッチノブ３７及びスイッチケース３６に介在する隙間は小さいものとなる。したがって、スイッチノブ３７をスイッチケース３６に嵌合した時のスイッチノブ３７のブレが小さく、かつスイッチノブ３７を変位させたときの摺動性が良好になる。特に、本実施形態では、スイッチ押圧部３３のどの部分を押圧しても、スイッチノブ３７は、ぶれることなくスムーズに先端方向に変位するため、操作性が良好である。
【００２１】
本実施形態では、スイッチケース胴部３８の基端及び先端に、第３ガイドレール４０、第４ガイドレール４１を分散配置したため、スイッチケース胴部３８の中央部にはガイドレールが存在しない。従って、スイッチケース胴部３８の中央部を成形する場合、樹脂成形時の抜きテーパを考慮する必要がなく、スイッチノブ３７及びスイッチケース３６は、テーパを小さく設計することが可能であり、その分、スイッチノブ３７とスイッチケース３６の形状の自由度は大きい。本構成では、スイッチノブ軸部４２及びスイッチケース胴部３８をテーパのほとんどない略円柱状の形状に設計することにより、ＬＥＤ光源３５の発する光の通過路をスイッチノブ軸部４２の内周部に確保し、かつ、ＬＥＤ光源３５の照明範囲を拡大できる。
【００２２】
また、本実施形態によれば、スイッチノブ軸部４２において、第１ガイドレール溝４４及び第２ガイドレール溝４６が間隔をあけて形成されている。このため、スイッチノブ軸部４２において、この間隔に対応する箇所は、第１ガイドレール溝４４及び第２ガイドレール溝４６の存在に影響されず、用途に合わせて自由に形状を設計することができる。
【００２３】
なお、上述した実施の形態は、あくまでも本発明の一態様を示すものであり、本発明の範囲内で任意に変形および応用が可能である。
例えば、図５は、ミュートスイッチ３１の斜視図であり、変形例の一例を示す図である。なお、図５において図４に示す構成要素と同じものについては同一の符号を付し、その説明を省略する。
この図では、スイッチノブ３７において、第１ガイドレール溝４４の代わりに、凸状の第１ガイドレール５５が形成されており、同様に、第２ガイドレール溝４６の代わりに、凸状の第２ガイドレール５６が形成されている。また、スイッチケース３６において、第３ガイドレール４０の代わりに、凹状の第３ガイドレール溝５７が形成されており、第４ガイドレール４１の代わりに、凹状の第４ガイドレール溝５８が形成されている。この構成においても、本実施形態と同様、スイッチノブ３７及びスイッチケース３６のテーパを小さくすることがき、スイッチノブ３７をスイッチケース３６に嵌合した時のスイッチノブ３７のブレが小さく、スイッチノブ３７の摺動性及び操作性が良好にすることができる。
【００２４】
本実施形態では、第１ガイドレール溝４４、第２ガイドレール溝４６、第３ガイドレール４０、第４ガイドレール４１はそれぞれ４つ存在しているが、この数は任意であり、第１ガイドレール溝４４の個数と、第３ガイドレール４０の個数が同じであり、かつ、第２ガイドレール溝４６の個数と、第４ガイドレール４１の個数が同じであればよい。
【００２５】
本実施形態では、スイッチノブ軸部４２及びスイッチケース胴部３８は、共に、筒状の形状である。しかし、この形状は筒状に限らず、四角柱等の他の形状でもよい。
【図面の簡単な説明】
【００２６】
【図１】本実施形態に係る車載オーディオ装置の正面図である。
【図２】ボリュームスイッチの断面図であり、スイッチノブが押圧されていない状態を示す図である。
【図３】ボリュームスイッチの断面図であり、スイッチノブが押圧されている状態を示す図である。
【図４】ミュートスイッチの斜視図である。
【図５】ミュートスイッチの変形例を示す斜視図である。
【符号の説明】
【００２７】
３０  ボリュームスイッチ
３１  ミュートスイッチ
３２  音量調整スイッチ
３３  スイッチ押圧部
３６  スイッチケース
３７  スイッチノブ
３８  スイッチケース胴部
３９  スイッチケース基端部
４０  第３ガイドレール
４１  第４ガイドレール
４２  スイッチノブ軸部
４３  スイッチ押圧部材ホルダ
４４  第１ガイドレール溝
４５  小径部
４６  第２ガイドレール溝
【図１】
2008166000.tif 000003
【図２】
2008166000.tif 000004
【図３】
2008166000.tif 000005
【図４】
2008166000.tif 000006
【図５】
2008166000.tif 000007